【事件の表示】
　特願２００６−１２３６８３「クライアント・サーバシステム」拒絶査定不服審判事件〔平成１９年１１月　８日出願公開、特開２００７−２９３７７６〕について、次のとおり審決する。
【結　論】
　本件審判の請求は、成り立たない。
【理　由】
第１　手続きの経緯  
　
　本件は、平成１８年４月２７日の出願であって平成２２年１１月２６日付けで拒絶の理由が通知され、平成２３年１月３１日付けで手続補正がなされ、同年１０月１４日付けで最後の拒絶の理由が通知され、平成２４年２月２７日付けで拒絶査定がなされ、これに対して、同年６月６日に拒絶査定に対する審判請求がなされるとともに、同日付けで手続補正がなされたものである。
　
第２　平成２４年６月６日付けの手続補正についての補正却下の決定
　
［補正却下の決定の結論］
　
　平成２４年６月６日付けの手続補正（以下、「本件補正」という。）を却下する。
　
［補正却下の決定の理由］
　
　（１）補正後の本願発明
　本件補正により、特許請求の範囲は、
　「【請求項１】
　複数のクライアント端末装置と、当該複数のクライアント端末装置と無線ネットワークを介して接続され、情報を送受信するサーバ装置と、を備えるクライアント・サーバシステムにおいて、
　前記クライアント端末装置は、
　前記サーバ装置とのリンク中に、電源オン信号を受けて、起動状態に移行可能な状態である電源オフ状態に移行する場合に、電源オフ状態に移行することを通知する電源オフ移行通知信号を前記サーバ装置に送信する電源オフ移行通知手段と、
　前記サーバ装置とのリンク中に、直前の状態をメモリに保存したまま、復帰信号を受け付けて前記メモリに保存された状態に復帰可能な状態であるスタンバイ状態に移行する場合に、スタンバイ状態に移行することを通知するスタンバイ移行通知信号を前記サーバ装置に送信するスタンバイ移行通知手段と、
　電源オフ状態或いはスタンバイ状態から電源オン状態に移行する場合に、電源オン状態に移行することを通知する電源オン移行通知信号を前記サーバ装置に送信する電源オン移行通知手段と、
　を備え、
　前記サーバ装置は、
　前記電源オフ移行通知信号又は前記スタンバイ移行通知信号若しくは前記電源オン移行通知信号を受信する受信手段と、
　当該サーバ装置に接続されているクライアント端末装置の数を所定のタイミングで検出する検出手段と、
　前記検出手段により検出された前記クライアント端末装置の数に基づいて、前記受信手段により、前記電源オフ移行通知信号又は前記スタンバイ移行通知信号を受信した際に、当該サーバ装置に接続されているクライアント端末装置が前記電源オフ移行通知信号又は前記スタンバイ移行通知信号を送信したクライアント端末装置のみであるか否かを判断する判断手段と、
　前記受信手段による前記電源オフ移行通知信号の受信に基づいて、電源オフ状態に移行する電源オフ移行手段と、
　前記受信手段による前記スタンバイ移行通知信号の受信に基づいて、スタンバイ状態に移行するスタンバイ移行手段と、
　前記受信手段による前記電源オン移行通知信号の受信に基づいて、電源オン状態に移行する電源オン移行手段と、を備え、
　前記電源オフ移行手段及び前記スタンバイ移行手段は、前記判断手段により、当該サーバ装置に接続されているクライアント端末装置が前記電源オフ移行通知信号又は前記スタンバイ移行通知信号を送信したクライアント端末装置のみであると判断された場合に実行されることを特徴とするクライアント・サーバシステム。」
と補正された。
　上記特許請求の範囲についての補正は、請求項１に記載した発明を特定するために必要な事項である「電源オフ状態」及び「スタンバイ状態」を具体的に限定すると共に、請求項２〜４を削除するものであって、特許法第１７条の２第４項第２号の特許請求の範囲の減縮を目的とするもの及び特許法第１７条の２第４項第１号の請求項の削除に該当する。
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
  
　（２）引用例
　原査定の拒絶の理由に引用された本願の出願前に頒布された特開平５−１６５５５２号公報（以下、「引用例１」という。）には、図面と共に以下の記載がある。
　
ａ）「【０００１】
【産業上の利用分野】本発明は、
１つ以上のクライアントと１つ以上のサーバが接続されたクライアント／サーバ型ネットワークシステムに関し、特にグループ内の１つのクライアントの電源の投入によりサーバの電源を投入し、グループ内の全てのクライアントの電源を切断するとサーバの電源も切断されるネットワークに於けるサーバ電源管理機構に関する
　
ｂ）「【００１１】次に動作を説明するために、図１の
クライアント３の電源投入によるサーバの電源投入を例にとり説明する
【００１２】先ず
クライアント３〜ｎの電源は投入されておらずサーバ２が副電源１１１による回線監視状態のときにクライアント３の操作員が電源スイッチ１０１を押下すると、電源投入／切断認識手段１０２が電源投入を認識し電源投入／切断情報送信部１０３に通知し、電源投入／切断情報送信部１０３はサーバ２に対して、電源投入／切断情報を送信するために回線制御部１０５に電源投入情報を渡し、回線制御部１０５はサーバ２に対して電源投入情報を送信
【００１３】
サーバ２の回線制御部１０７は電源投入情報を受信すると電源投入／切断管理部１０８に渡し、電源投入／切断管理部１０８は、電源投入情報を解析しクライアント接続テーブルにクライアント３の情報を登録し、クライアント接続テーブルに一台も電源投入情報が登録されていない場合、電源切り替え手段１０９にサーバの電源切り替え要求を通知し、電源切り替え手段１０９は電源供給を副電源から主電源に切り替え
【００１４】
サーバ２は主電源による電源投入により自システムの初期化を行い、クライアントからの検索要求を持つ
【００１５】
次にクライアント４の操作員が電源スイッチを押下すると、電源投入／切断認識手段１０２は電源投入情報を電源投入／切断情報送信部１０３に通知し、電源投入／切断情報送信部１０３はサーバ２に対して、電源投入情報を送信するために回線制御部１０５に電源投入情報を渡し、回線制御部１０５はサーバ２に対して電源投入情報を送信
【００１６】
サーバ２の回線制御部１０７は電源投入情報を受信すると電源投入／切断管理部１０８に渡し、電源投入／切断管理部１０８は、クライアント接続テーブルをチェックし、既に登録されているクライアントの存在を確認し、クライアント接続テーブルにクライアント４の情報を登録
【００１７】次に
クライアント３と４がサーバ２のファイルを検索中にクライアント３と４の電源切断によるサーバの電源切り替えを例にとり説明する
【００１８】
クライアント３がサーバ２のファイルを検索しているとき、操作員が電源スイッチ１０１を押下すると、電源投入／切断認識手段１０２が電源切断を認識し電源投入／切断情報送信部１０３に通知する。電源投入／切断情報送信部１０３は現在検索中のサーバ２に対して、電源投入／切断情報を送信するために回線制御部１０５に電源切断情報を渡し、回線制御部１０５はサーバ２に対して電源切断情報を送信
【００１９】
サーバ２の回線制御部１０７は電源切断情報を受信すると電源投入／切断管理部１０８に渡し、電源投入／切断管理部１０８は、電源切断情報を解析しクライアント３の電源が切断された事を認識し、クライアント３が検索していたファイルの終了処理を行いサーバ３が持っているクライアント接続テーブルからクライアント３の情報を削除後、他に接続中のクライアントが存在するか確認し、接続中のクライアントが存在する場合そのまま処理を続行
【００２０】
次に、クライアント４の操作員が電源スイッチを押下すると、電源投入／切断認識手段１０２が電源切断を認識し電源投入／切断情報送信部１０３に通知し、電源投入／切断情報送信部１０３は現在検索中のサーバ２に対して、電源切断情報を送信するために回線制御部１０５に電源切断情報を渡し、回線制御部１０５はサーバ２に対して電源切断情報を送信
【００２１】
サーバ２の回線制御部１０７は電源切断情報を受信すると電源投入／切断管理部１０８に渡し、電源投入／切断管理部１０８は、電源切断情報を解析しクライアント４の電源が切断された事を認識し、クライアント４が検索していたファイルの終了処理を行いサーバ２が持っているクライアント接続テーブルからクライアント４の情報を削除
【００２２】
電源投入／切断管理部１０８は他に接続中のクライアントが存在するか確認し、接続中のクライアントが存在しない場合は電源切り替え手段１０９に対して主電源／副電源切り替え要求を行い、電源切り替え手段１０９は電源供給を主電源１１０から副電源１１１に切り替え、回線監視状態となる
　
　これらの記載によれば、引用例１には、
「１つ以上のクライアントと１つ以上のサーバが接続されたクライアント／サーバ型ネットワークシステムに関し、特にグループ内の１つのクライアントの電源の投入によりサーバの電源を投入し、グループ内の全てのクライアントの電源を切断するとサーバの電源も切断されるネットワークに於けるサーバ電源管理機構に関し、
　クライアント３の電源投入によるサーバの電源投入を例にとり説明すると、
　クライアント３〜ｎの電源は投入されておらずサーバ２が副電源１１１による回線監視状態のときにクライアント３の操作員が電源スイッチ１０１を押下すると、電源投入／切断認識手段１０２が電源投入を認識し電源投入／切断情報送信部１０３に通知し、電源投入／切断情報送信部１０３はサーバ２に対して、電源投入／切断情報を送信するために回線制御部１０５に電源投入情報を渡し、回線制御部１０５はサーバ２に対して電源投入情報を送信し、
　サーバ２の回線制御部１０７は電源投入情報を受信すると電源投入／切断管理部１０８に渡し、電源投入／切断管理部１０８は、電源投入情報を解析しクライアント接続テーブルにクライアント３の情報を登録し、クライアント接続テーブルに一台も電源投入情報が登録されていない場合、電源切り替え手段１０９にサーバの電源切り替え要求を通知し、電源切り替え手段１０９は電源供給を副電源から主電源に切り替え、サーバ２は主電源による電源投入により自システムの初期化を行い、クライアントからの検索要求を持ち、
　次に、クライアント４の操作員が電源スイッチを押下すると、電源投入／切断認識手段１０２は電源投入情報を電源投入／切断情報送信部１０３に通知し、電源投入／切断情報送信部１０３はサーバ２に対して、電源投入情報を送信するために回線制御部１０５に電源投入情報を渡し、回線制御部１０５はサーバ２に対して電源投入情報を送信し、
　サーバ２の回線制御部１０７は電源投入情報を受信すると電源投入／切断管理部１０８に渡し、電源投入／切断管理部１０８は、クライアント接続テーブルをチェックし、既に登録されているクライアントの存在を確認し、クライアント接続テーブルにクライアント４の情報を登録し、
　クライアント３と４がサーバ２のファイルを検索中にクライアント３と４の電源切断によるサーバの電源切り替えを例にとり説明すると、
　クライアント３がサーバ２のファイルを検索しているとき、操作員が電源スイッチ１０１を押下すると、電源投入／切断認識手段１０２が電源切断を認識し電源投入／切断情報送信部１０３に通知し、電源投入／切断情報送信部１０３は現在検索中のサーバ２に対して、電源投入／切断情報を送信するために回線制御部１０５に電源切断情報を渡し、回線制御部１０５はサーバ２に対して電源切断情報を送信し、
  サーバ２の回線制御部１０７は電源切断情報を受信すると電源投入／切断管理部１０８に渡し、電源投入／切断管理部１０８は、電源切断情報を解析しクライアント３の電源が切断された事を認識し、クライアント３が検索していたファイルの終了処理を行いサーバ３が持っているクライアント接続テーブルからクライアント３の情報を削除後、他に接続中のクライアントが存在するか確認し、接続中のクライアントが存在する場合そのまま処理を続行し、
　次に、クライアント４の操作員が電源スイッチを押下すると、電源投入／切断認識手段１０２が電源切断を認識し電源投入／切断情報送信部１０３に通知し、電源投入／切断情報送信部１０３は現在検索中のサーバ２に対して、電源切断情報を送信するために回線制御部１０５に電源切断情報を渡し、回線制御部１０５はサーバ２に対して電源切断情報を送信し、
　サーバ２の回線制御部１０７は電源切断情報を受信すると電源投入／切断管理部１０８に渡し、電源投入／切断管理部１０８は、電源切断情報を解析しクライアント４の電源が切断された事を認識し、クライアント４が検索していたファイルの終了処理を行いサーバ２が持っているクライアント接続テーブルからクライアント４の情報を削除し、
　電源投入／切断管理部１０８は他に接続中のクライアントが存在するか確認し、接続中のクライアントが存在しない場合は電源切り替え手段１０９に対して主電源／副電源切り替え要求を行い、電源切り替え手段１０９は電源供給を主電源１１０から副電源１１１に切り替え、回線監視状態となる、
　クライアント／サーバ型ネットワークシステム。」の発明（以下「引用例１発明」という。）が開示されていると認めることができる。
　
　原査定の拒絶の理由に引用された本願の出願前に頒布された特開平１１−２３１９８３号公報（以下、引用例２という。）には、図面と共に以下の記載がある。
　
ｃ）「【０００１】
【発明の属する技術分野】本発明は、携帯情報機器に関し、特に、
コンピュータと無線通信が可能である携帯情報機器に関する
　
ｄ）「【０００５】本発明は斯かる事情に鑑みてなされたものであり、
無線によりコンピュータのレジューム／サスペンドを自身に対する操作に同期して制御する
携帯情報機器
　
ｅ）「【００３３】この場合、
ユーザが携帯情報機器41のSus/Res ボタン15c によりレジュームを選択すると、その選択情報を表す電波がアンテナ３から発信されてノートＰＣ42のアンテナ23で受信され、ノートＰＣ42がレジュームの状態となる。また、ユーザがSus/Res ボタン15c によりサスペンドを選択すると、同様の電波送受信によってノートＰＣ42がサスペンドの状態となる
【００３４】このように、携帯情報機器41側のレジューム・サスペンド選択に応じてノートＰＣ42側のレジューム・サスペンドが決定されるので、ユーザはノートＰＣ42の状態を意識することなく、ノートＰＣ42の省電力モードを変更できる。よって、携帯情報機器41が立ち上がっている場合にのみノートＰＣ42は電力を消費し、また、常時バックライト等の電力を節約できるので、ノートＰＣ42の長時間の使用が可能となる。」（【００３３】〜【００３４】の記載。）
　
ｆ）「【００５２】なお、上述した例では、携帯情報機器のレジューム・サスペンド設定（Sus/Res ボタン15c の選択）に応じてノートＰＣのレジューム・サスペンドを決定するようにしたが、携帯情報機器の電源投入・切断設定（ON/OFFボタン15b の選択）に応じてノートＰＣのレジューム・サスペンドを決定するようにしても良い。
【００５３】また、上述した例では、
携帯情報機器と連携するコンピュータとしてノートＰＣを用いる場合について説明したが、
連携するコンピュータとして、
社内のサーバコンピュータ等も使用でき
　
　これらの記載によれば、引用例２には、
「コンピュータと無線通信が可能である携帯情報機器に関し、
　無線によりコンピュータのレジューム／サスペンドを自身に対する操作に同期して制御する携帯情報機器であり、
　ユーザが携帯情報機器41のSus/Res ボタン15c によりレジュームを選択すると、その選択情報を表す電波がアンテナ３から発信されてノートＰＣ42のアンテナ23で受信され、ノートＰＣ42がレジュームの状態となり、また、ユーザがSus/Res ボタン15c によりサスペンドを選択すると、同様の電波送受信によってノートＰＣ42がサスペンドの状態となるものであり、
　携帯情報機器と連携するコンピュータとしてノートＰＣを用いる場合について説明したが、連携するコンピュータとして、社内のサーバコンピュータ等も使用できる、
　携帯情報機器。」の発明（以下「引用例２発明」という。）が開示されていると認めることができる。
　
　原査定の拒絶の理由に引用された本願の出願前に頒布された特開平９−１６０６７８号公報（以下、引用例３という。）には、図面と共に以下の記載がある。
　
ｇ）「【０００１】
【発明の属する技術分野】本発明は、
複数のクライアントとサーバとで構成されるクライアント／サーバ型コンピュータネットワークシステムにおけるサーバ電源断方式に関し、特に接続しているクライアントが全てその接続を解除した場合にサーバの電源を切断するサーバ電源断方式に関する
　
ｈ）「【００１７】図１は、本発明のサーバ電源断方式の一実施例の構成を示すブロック図である。本実施例のサーバ電源断方式は、複数のクライアント３とサーバ２とがネットワーク１を介して存在するクライアント／サーバ型コンピュータネットワークシステムにおいて実現される。本実施例のサーバ電源断方式は、サーバ２側に、接続検出処理手段２１と、カウンタ部２２と、判断処理手段２３と、電源断処理手段２４とを含んで構成されている（クライアント３側には本発明を実現するための特別な機能実現手段は存在しない）。」（【００１７】の記載。）
　
ｉ）「【００２１】
サーバ２の電源が投入されると
カウンタ部２２が初期化され、カウンタ値に初期値の０が設定（代入）され
【００２２】接続検出処理手段２１は、ステップＳ１におけるカウンタ部２２の初期化が行われると、「クライアント３の接続に関する事象」の事象待ち状態となる（ステップＳ２）。ここで、事象待ちの対象となる「クライアント３の接続に関する事象」としては、「クライアント３がサーバ２にログオンする事象」または「クライアント３がサーバ２からログオフする事象」が該当する場合と、「クライアント３がサーバ２に対してセッションをオープンする事象」または「クライアント３がサーバ２に対してセッションをクローズする事象」が該当する場合とが考えられる（前者が請求項１記載の発明に対応し、後者が請求項２記載の発明に対応する）。
【００２３】ステップＳ２の事象待ち状態において
「クライアント３がサーバ２にログオンする事象」
が生じた場合には
、接続検出処理手段２１はその旨を検出
【００２４】
この検出を受けて、カウンタ部２２はカウンタ値を１インクリメントする
【００２５】ステップＳ３の処理の後に、接続検出処理手段２１は「クライアント３の接続に関する事象」の事象待ち状態に戻る（ステップＳ２）。
【００２６】一方、ステップＳ２の事象待ち状態において「
クライアント３がサーバ２からログオフする事象」
が生じた場合には
、接続検出処理手段２１はその旨を検出
【００２７】
この検出を受けて、カウンタ部２２はカウンタ値を１デクリメントする
【００２８】
判断処理手段２３は、
カウンタ部２２でカウンタ値がデクリメントされる度にカウンタ値をチェック
すなわち、そのデクリメントによってカウンタ値が立ち下がりで０になったか否か（カウンタ値が１→０となったか否か）を判定する
【００２９】判断処理手段２３は、ステップＳ５のチェックで
「カウンタ値が立ち下がりで０になった」と判定した場合には
接続していたクライアント３が全て接続を解除したことを認識し、その旨を電源断処理手段２４に伝え
【００３０】一方、判断処理手段２３は、ステップＳ５のチェックで「カウンタ値が立ち下がりで０になってはいない」と判定した場合には（ステップ間遷移Ｂ３）、接続検出処理手段２１に制御を戻す。これによって、接続検出処理手段２１は、「クライアント３の接続に関する事象」の事象待ち状態に戻る（ステップＳ２）。
【００３１】ステップ間遷移Ｂ４によって制御が移された
電源断処理手段２４は、サーバ２をシャットダウンし、その電源を切断する
サーバ電源断方式
　
ｊ）「【００３４】なお、本実施例では、カウンタ部２２のカウンタ値の初期値が０であり、当該カウンタ値の順方向の更新がカウンタ値を１インクリメントすることであり、当該カウンタ値の逆方向の更新がカウンタ値を１デクリメントすることであり、「当該カウンタ値の逆方向の更新によって当該カウンタ値が初期値に戻ること」が「当該カウンタ値が立ち下がりで０になること」を意味する場合について述べた。しかし、判断処理手段２３が「カウンタ値の逆方向の更新によってカウンタ値が初期値に戻った」と判断することによって「全てのクライアントの接続が解除された」ことを認識でき、その判断・認識時に電源断処理手段２４がサーバ２の電源を切断することができるものであれば、当該カウンタ値の初期値および更新の態様は本実施例の内容に限られるものではない。」（【００３４】の記載。）
　
　これらの記載によれば、引用例３には、
「複数のクライアントとサーバとで構成されるクライアント／サーバ型コンピュータネットワークシステムにおけるサーバ電源断方式に関し、特に接続しているクライアントが全てその接続を解除した場合にサーバの電源を切断するサーバ電源断方式に関し、
　サーバ２の電源が投入されると、カウンタ部２２が初期化され、カウンタ値に初期値の０が設定（代入）され、
　「クライアント３がサーバ２にログオンする事象」が生じた場合には、接続検出処理手段２１はその旨を検出し、この検出を受けて、カウンタ部２２はカウンタ値を１インクリメントし、
　「クライアント３がサーバ２からログオフする事象」が生じた場合には、接続検出処理手段２１はその旨を検出し、この検出を受けて、カウンタ部２２はカウンタ値を１デクリメントし、
　判断処理手段２３は、カウンタ部２２でカウンタ値がデクリメントされる度にカウンタ値をチェックし、すなわち、そのデクリメントによってカウンタ値が立ち下がりで０になったか否か（カウンタ値が１→０となったか否か）を判定し、
　「カウンタ値が立ち下がりで０になった」と判定した場合には、接続していたクライアント３が全て接続を解除したことを認識し、その旨を電源断処理手段２４に伝え、
　電源断処理手段２４は、サーバ２をシャットダウンし、その電源を切断する
　サーバ電源断方式。」の発明（以下「引用例３発明」という。）が開示されていると認めることができる。
　
　（３）対比
　そこで、本願補正発明と引用例１発明とを対比する。
　
ア）引用例１発明の「１つ以上のクライアントと１つ以上のサーバが接続されたクライアント／サーバ型ネットワークシステム」は、本願補正発明の「複数のクライアント端末装置と、当該複数のクライアント端末装置と無線ネットワークを介して接続され、情報を送受信するサーバ装置と、を備えるクライアント・サーバシステム」と「複数のクライアント端末装置と、当該複数のクライアント端末装置とネットワークを介して接続され、情報を送受信するサーバ装置と、を備えるクライアント・サーバシステム」である点で共通するといえる。
　
イ）引用例１発明は「グループ内の全てのクライアントの電源を切断するとサーバの電源も切断される」ものであり、「クライアント３と４がサーバ２のファイルを検索中にクライアント３と４の電源切断によるサーバの電源切り替え」の例において、「クライアント３がサーバ２のファイルを検索しているとき、操作員が電源スイッチ１０１を押下すると、電源投入／切断認識手段１０２が電源切断を認識」した状態、「クライアント４の操作員が電源スイッチを押下すると、電源投入／切断認識手段１０２が電源切断を認識」した状態は、「クライアント３」、「クライアント４」が「電源切断」された状態であり、「電源切断」された状態が「電源オン信号を受けて、起動状態に移行可能な状態である」ことは明らかであるから、引用例１発明の「クライアント３と４がサーバ２のファイルを検索中にクライアント３と４の電源切断によるサーバの電源切り替え」の例において、「クライアント３がサーバ２のファイルを検索しているとき、操作員が電源スイッチ１０１を押下すると、電源投入／切断認識手段１０２が電源切断を認識」した状態、「クライアント４の操作員が電源スイッチを押下すると、電源投入／切断認識手段１０２が電源切断を認識」した状態に移行する場合は、本願補正発明の「前記クライアント端末装置」が「前記サーバ装置とのリンク中に、電源オン信号を受けて、起動状態に移行可能な状態である電源オフ状態に移行する場合」に相当する。
　
ウ）引用例１発明は「クライアント３がサーバ２のファイルを検索しているとき、操作員が電源スイッチ１０１を押下すると、電源投入／切断認識手段１０２が電源切断を認識し電源投入／切断情報送信部１０３に通知し、電源投入／切断情報送信部１０３は現在検索中のサーバ２に対して、電源投入／切断情報を送信するために回線制御部１０５に電源切断情報を渡し、回線制御部１０５はサーバ２に対して電源切断情報を送信」、「クライアント４の操作員が電源スイッチを押下すると、電源投入／切断認識手段１０２が電源切断を認識し電源投入／切断情報送信部１０３に通知し、電源投入／切断情報送信部１０３は現在検索中のサーバ２に対して、電源切断情報を送信するために回線制御部１０５に電源切断情報を渡し、回線制御部１０５はサーバ２に対して電源切断情報を送信」するものであるから、引用例１発明の「クライアント３，４」が「回線制御部１０５」を有することは、本願補正発明の「クライアント端末装置は、」「前記サーバ装置とのリンク中に、電源オン信号を受けて、起動状態に移行可能な状態である電源オフ状態に移行する場合に、電源オフ状態に移行することを通知する電源オフ移行通知信号を前記サーバ装置に送信する電源オフ移行通知手段」を備えることに相当する。
　
エ）引用例１発明の「クライアント３の電源投入によるサーバの電源投入」において、「クライアント３〜ｎの電源は投入されておらずサーバ２が副電源１１１による回線監視状態のときにクライアント３の操作員が電源スイッチ１０１を押下すると、電源投入／切断認識手段１０２が電源投入を認識」した状態は、「クライアント３〜ｎの電源は投入されて」いないときに「クライアント３の操作員が電源スイッチ１０１を押下」し「クライアント３」が「電源投入」された状態であるから、引用例１発明の「クライアント３の電源投入によるサーバの電源投入」において、「クライアント３〜ｎの電源は投入されておらずサーバ２が副電源１１１による回線監視状態のときにクライアント３の操作員が電源スイッチ１０１を押下すると、電源投入／切断認識手段１０２が電源投入を認識」した状態に移行する場合は、本願補正発明の「電源オフ状態或いはスタンバイ状態から電源オン状態に移行する場合」と、「電源オフ状態から電源オン状態に移行する場合」の点で共通するといえる。
　
オ）引用例１発明は「クライアント３の操作員が電源スイッチ１０１を押下すると、電源投入／切断認識手段１０２が電源投入を認識し電源投入／切断情報送信部１０３に通知し、電源投入／切断情報送信部１０３はサーバ２に対して、電源投入／切断情報を送信するために回線制御部１０５に電源投入情報を渡し、回線制御部１０５はサーバ２に対して電源投入情報を送信」するものであるから、引用例１発明の「クライアント３」が「回線制御部１０５」を有することは、本願補正発明の「前記クライアント端末装置は、」「電源オフ状態或いはスタンバイ状態から電源オン状態に移行する場合に、電源オン状態に移行することを通知する電源オン移行通知信号を前記サーバ装置に送信する電源オン移行通知手段」を備えることと、「前記クライアント端末装置は、」「電源オフ状態から電源オン状態に移行する場合に、電源オン状態に移行することを通知する電源オン移行通知信号を前記サーバ装置に送信する電源オン移行通知手段」を備える点で共通するといえる。
　
カ）引用例１発明の「サーバ２の回線制御部１０７」は「電源投入情報を受信」し、「電源切断情報を受信」するものであるから、引用例１発明の「サーバ２」が「回線制御部１０７」を有することは、本願補正発明の「前記サーバ装置は、」「前記電源オフ移行通知信号又は前記スタンバイ移行通知信号若しくは前記電源オン移行通知信号を受信する受信手段」を備えることと、「前記サーバ装置は、」「前記電源オフ移行通知信号若しくは前記電源オン移行通知信号を受信する受信手段」を備える点で共通するといえる。
　
キ）引用例１発明は「サーバ２の回線制御部１０７は電源切断情報を受信すると電源投入／切断管理部１０８に渡し、電源投入／切断管理部１０８は、電源切断情報を解析しクライアント４の電源が切断された事を認識し、クライアント４が検索していたファイルの終了処理を行いサーバ２が持っているクライアント接続テーブルからクライアント４の情報を削除し、」「電源投入／切断管理部１０８は他に接続中のクライアントが存在するか確認」するものである。
　ここで、上記「電源投入／切断管理部１０８」で解析される「電源切断情報」を送信したのは「クライアント４」であるから、上記「他に接続中のクライアントが存在するか確認」することは、上記「電源切断情報」を送信した「クライアント４」の他に接続中のクライアントが存在するか確認することであり、引用例１発明の「サーバ２」の「電源投入／切断管理部１０８」は、電源切断情報を送信した「クライアント４」の他に接続中のクライアントが存在するか確認するものである。
　したがって、引用例１発明の「サーバ２」が「電源投入／切断管理部１０８」を有することは、本願補正発明の「前記サーバ装置は、」「前記検出手段により検出された前記クライアント端末装置の数に基づいて、前記受信手段により、前記電源オフ移行通知信号又は前記スタンバイ移行通知信号を受信した際に、当該サーバ装置に接続されているクライアント端末装置が前記電源オフ移行通知信号又は前記スタンバイ移行通知信号を送信したクライアント端末装置のみであるか否かを判断する判断手段」を備えることと、「前記サーバ装置は、」「前記受信手段により、前記電源オフ移行通知信号を受信した際に、当該サーバ装置に接続されているクライアント端末装置が前記電源オフ移行通知信号を送信したクライアント端末装置のみであるか否かを判断する判断手段」を備える点で共通するといえる。
　
ク）引用例１発明は「サーバ２の回線制御部１０７は電源切断情報を受信すると」、「電源投入／切断管理部１０８は他に接続中のクライアントが存在するか確認し、接続中のクライアントが存在しない場合は電源切り替え手段１０９に対して主電源／副電源切り替え要求を行い、電源切り替え手段１０９は電源供給を主電源１１０から副電源１１１に切り替え、回線監視状態となる」ものである。
　ここで、上記「他に接続中のクライアントが存在するか確認し、接続中のクライアントが存在しない場合」とは、上記「回線制御部１０７」が受信した「電源切断情報」を送信したクライアントの他に接続中のクライアントが存在しない場合である。
　したがって、引用例１発明の「サーバ２」が「電源切り替え手段１０９」を有することは、本願補正発明の「前記サーバ装置は、」「前記受信手段による前記電源オフ移行通知信号の受信に基づいて、電源オフ状態に移行する電源オフ移行手段」を備えることに相当し、引用例１発明が「電源投入／切断管理部１０８は他に接続中のクライアントが存在するか確認し、接続中のクライアントが存在しない場合は電源切り替え手段１０９に対して主電源／副電源切り替え要求を行い、電源切り替え手段１０９は電源供給を主電源１１０から副電源１１１に切り替え、回線監視状態となる」ものであることは、本願補正発明が「前記電源オフ移行手段及び前記スタンバイ移行手段は、前記判断手段により、当該サーバ装置に接続されているクライアント端末装置が前記電源オフ移行通知信号又は前記スタンバイ移行通知信号を送信したクライアント端末装置のみであると判断された場合に実行される」ことと、「前記電源オフ移行手段は、前記判断手段により、当該サーバ装置に接続されているクライアント端末装置が前記電源オフ移行通知信号を送信したクライアント端末装置のみであると判断された場合に実行される」点で共通するといえる。
　
ケ）引用例１発明は「サーバ２の回線制御部１０７は電源投入情報を受信すると」、「電源投入／切断管理部１０８に渡し、電源投入／切断管理部１０８は、電源投入情報を解析しクライアント接続テーブルにクライアント３の情報を登録し、クライアント接続テーブルに一台も電源投入情報が登録されていない場合、電源切り替え手段１０９にサーバの電源切り替え要求を通知し、電源切り替え手段１０９は電源供給を副電源から主電源に切り替え」るものであるから、引用例１発明の「サーバ２」が「電源切り替え手段１０９」を有することは、本願補正発明の「前記サーバ装置は、」「前記受信手段による前記電源オン移行通知信号の受信に基づいて、電源オン状態に移行する電源オン移行手段」を備えることに相当する。
　
　したがって両者は、
「複数のクライアント端末装置と、当該複数のクライアント端末装置とネットワークを介して接続され、情報を送受信するサーバ装置と、を備えるクライアント・サーバシステムにおいて、
　前記クライアント端末装置は、
　前記サーバ装置とのリンク中に、電源オン信号を受けて、起動状態に移行可能な状態である電源オフ状態に移行する場合に、電源オフ状態に移行することを通知する電源オフ移行通知信号を前記サーバ装置に送信する電源オフ移行通知手段と、
　電源オフ状態から電源オン状態に移行する場合に、電源オン状態に移行することを通知する電源オン移行通知信号を前記サーバ装置に送信する電源オン移行通知手段と、
　を備え、
　前記サーバ装置は、
　前記電源オフ移行通知信号若しくは前記電源オン移行通知信号を受信する受信手段と、
　前記受信手段により、前記電源オフ移行通知信号を受信した際に、当該サーバ装置に接続されているクライアント端末装置が前記電源オフ移行通知信号を送信したクライアント端末装置のみであるか否かを判断する判断手段と、
　前記受信手段による前記電源オフ移行通知信号の受信に基づいて、電源オフ状態に移行する電源オフ移行手段と、
　前記受信手段による前記電源オン移行通知信号の受信に基づいて、電源オン状態に移行する電源オン移行手段と、を備え、
　前記電源オフ移行手段は、前記判断手段により、当該サーバ装置に接続されているクライアント端末装置が前記電源オフ移行通知信号を送信したクライアント端末装置のみであると判断された場合に実行されることを特徴とするクライアント・サーバシステム。」で一致し、次の点で相違する。
　
［相違点］
［相違点１］本願補正発明のものは、「複数のクライアント端末装置」と「サーバ装置」が「無線ネットワークを介して接続」されているのに対して、引用例１発明では、「クライアント」と「サーバ」を接続するネットワークが無線とは記載されていない点。
　
［相違点２］本願補正発明のものは、「クライアント端末装置」が、「前記サーバ装置とのリンク中に、直前の状態をメモリに保存したまま、復帰信号を受け付けて前記メモリに保存された状態に復帰可能な状態であるスタンバイ状態に移行する場合に、スタンバイ状態に移行することを通知するスタンバイ移行通知信号を前記サーバ装置に送信するスタンバイ移行通知手段」を有し、「サーバ装置」が、「前記受信手段による前記スタンバイ移行通知信号の受信に基づいて、スタンバイ状態に移行するスタンバイ移行手段」を有し、「電源オン移行通知手段」は、「電源オフ状態」と同様に「スタンバイ状態から電源オン状態に移行する場合」も機能し、「受信手段」は「電源オフ移行通知信号」と同様に「スタンバイ移行通知信号」も受信し、「判断手段」は「電源オフ移行通知信号」を受信した際と同様に「スタンバイ移行通知信号」を受信した際に、「スタンバイ移行通知信号を送信したクライアント端末装置のみであるか否かを判断する」機能も有し、「スタンバイ移行手段」は「サーバ装置に接続されているクライアント端末装置が前記電源オフ移行通知信号又は前記スタンバイ移行通知信号を送信したクライアント端末装置のみであると判断された場合に実行される」ものであるのに対して、引用例１発明では、「スタンバイ状態」に関する構成を有しない点。
　
［相違点３］本願補正発明のものは、「サーバ装置に接続されているクライアント端末装置の数を所定のタイミングで検出する検出手段」を有し、「判断手段」は「検出手段により検出された前記クライアント端末装置の数に基づいて」判断しているのに対して、引用例１発明では、「クライアント接続テーブル」により「他に接続中のクライアントが存在するか確認」している点。
　
　（４）判断
［相違点１］について
　無線によりサーバクライアントシステムを構築することは、本願出願前周知技術（特開２００４−１１８６２９号公報の【００１３】には「図1はＢｌｕｅｔｏｏｔｈ無線通信を使用したサーバクライアントシステムの一実施形態を示す図である。」と記載されている。）であり、引用例１発明の「回線」を無線により形成することは、当業者が適宜なし得る設計事項である。
　
［相違点２］について
　サスペンドとは、作業状態をメモリに保存し、次に電源を入れたときに電源を切る直前の状態から作業を再開する機能（ＩＴ用語辞典　ｅ−Ｗｏｒｄｓ　http://e-words.jp/w/E383ACE382B8E383A5E383BCE383A0.html，「レジューム」とは「コンピュータの電源を切る直前の状態を保存して、次に電源を入れたときに電源を切る直前の状態から作業を再開する機能。」であり、「作業状態を省電力モードでメモリに保存する「サスペンド」機能がこれに含まれる。」）であるから、引用例２発明の「レジューム／サスペンド」は本願補正発明の「スタンバイ状態」に相当する。
　そして、引用例１発明と引用例２発明は共に、サーバと接続された情報機器において、前記サーバと前記情報機器の電源操作を同期させる技術に関するものであるから、引用例１発明に引用例２発明を適用することに格別の困難性は認められない。
　したがって、引用例１発明に引用例２発明を適用して、「電源オフ状態」に関する構成に加えて「スタンバイ状態」に関する構成を設ける、すなわち、「スタンバイ移行通知手段」、「スタンバイ移行手段」を設け、「電源オン移行通知手段」、「受信手段」、「判断手段」を「スタンバイ状態」において「電源オフ状態」と同様に機能する構成とし、「スタンバイ移行手段」を「電源オフ移行手段」と同様の条件で実行することは、当業者が容易になし得たことである。
　
［相違点３］について
　引用例３発明の「カウンタ部２２」は、「クライアント３」の「サーバ２」へのログオン、ログオフに応じてカウンタ値を１インクリメント、１デクリメントするものであるから、該「カウンタ部２２」は、ログオン、ログオフのタイミングで「サーバ２」に接続されている「クライアント３」の数を検出するものであり、また、引用例３発明の「判断処理手段２３」は、「カウンタ部２２」のカウンタ値が立ち下がりで０になったと判断した場合には、接続していた「クライアント３」が全て接続を解除したことを認識するものであるから、該「判断処理手段２３」は、「カウンタ部２２」により検出された「クライアント３」の数に基づいて、「サーバ２」に接続していた「クライアント３」が全て接続を解除したと判断するものである。
　そして、引用例１発明と引用例３発明は共に、サーバと該サーバと接続されたクライアントとを有するネットワークシステムにおいて、前記サーバにクライアントが接続されているか否かに応じて前記サーバの電源を操作する技術に関するものであるから、引用例１発明に引用例３発明を適用することに格別の困難性は認められない。
　したがって、引用例１発明に引用例３発明を適用して、「クライアント接続テーブル」に代えて「カウンタ部２２」により「他に接続中のクライアントが存在するか確認」する構成、すなわち、「サーバ装置に接続されているクライアント端末装置の数を所定のタイミングで検出する検出手段」を有し、「判断手段」は「検出手段により検出された前記クライアント端末装置の数に基づいて」判断する構成とすることは、当業者が容易になし得たことである。
　
　そして、本願補正発明の作用効果も、引用例１発明、引用例２発明、引用例３発明及び周知技術から当業者が予測できる範囲のものである。
　したがって、本願補正発明は、引用例１発明、引用例２発明、引用例３発明及び周知技術に基づいて、当業者が容易に発明をすることができたものであるから、特許法第２９条第２項の規定により特許出願の際独立して特許を受けることができないものである。
　
　（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　平成２４年６月６日付の手続補正は上記のとおり却下されたので、本願の請求項１に係る発明（以下、「本願発明」という。）は、平成２３年１月３１日付手続補正書の特許請求の範囲の請求項１に記載された事項により特定される、以下のとおりのものである。
　「【請求項１】
　複数のクライアント端末装置と、当該複数のクライアント端末装置と無線ネットワークを介して接続され、情報を送受信するサーバ装置と、を備えるクライアント・サーバシステムにおいて、
　前記クライアント端末装置は、
　前記サーバ装置とのリンク中に電源オフ状態に移行する場合に、電源オフ状態に移行することを通知する電源オフ移行通知信号を前記サーバ装置に送信する電源オフ移行通知手段と、
　前記サーバ装置とのリンク中にスタンバイ状態に移行する場合に、スタンバイ状態に移行することを通知するスタンバイ移行通知信号を前記サーバ装置に送信するスタンバイ移行通知手段と、
　電源オフ状態或いはスタンバイ状態から電源オン状態に移行する場合に、電源オン状態に移行することを通知する電源オン移行通知信号を前記サーバ装置に送信する電源オン移行通知手段と、
　を備え、
　前記サーバ装置は、
　前記電源オフ移行通知信号又は前記スタンバイ移行通知信号若しくは前記電源オン移行通知信号を受信する受信手段と、
　当該サーバ装置に接続されているクライアント端末装置の数を所定のタイミングで検出する検出手段と、
　前記検出手段により検出された前記クライアント端末装置の数に基づいて、前記受信手段により、前記電源オフ移行通知信号又は前記スタンバイ移行通知信号を受信した際に、当該サーバ装置に接続されているクライアント端末装置が前記電源オフ移行通知信号又は前記スタンバイ移行通知信号を送信したクライアント端末装置のみであるか否かを判断する判断手段と、
　前記受信手段による前記電源オフ移行通知信号の受信に基づいて、電源オフ状態に移行する電源オフ移行手段と、
　前記受信手段による前記スタンバイ移行通知信号の受信に基づいて、スタンバイ状態に移行するスタンバイ移行手段と、
　前記受信手段による前記電源オン移行通知信号の受信に基づいて、電源オン状態に移行する電源オン移行手段と、を備え、
　前記電源オフ移行手段及び前記スタンバイ移行手段は、前記判断手段により、当該サーバ装置に接続されているクライアント端末装置が前記電源オフ移行通知信号又は前記スタンバイ移行通知信号を送信したクライアント端末装置のみであると判断された場合に実行されることを特徴とするクライアント・サーバシステム。」　
　
　（１）引用例
　原査定の拒絶の理由に引用された引用例、及びその記載事項は、前記「第２　（２）」に記載したとおりである。　
　
　（２）対比・判断
　本願発明は、前記「第２」で検討した本願補正発明から、「電源オフ状態」、「スタンバイ状態」を限定する構成を省くものである。
　そうすると、本願発明の構成要件をすべて含み、さらに他の構成要件を付加したものに相当する本願補正発明が、前記「第２　（４）」に記載したとおり、引用例１発明、引用例２発明、引用例３発明及び周知技術に基づいて、当業者が容易に発明をすることができたものであるから、本願発明も同様の理由により、引用例１発明、引用例２発明、引用例３発明及び周知技術に基づいて、当業者が容易に発明をすることができたものである。
　
　（３）むすび
　以上のとおり、本願発明は、引用例１発明、引用例２発明、引用例３発明及び周知技術に記載された発明に基づいて、当業者が容易に発明をすることができたものであるから、特許法第２９条２項の規定により特許を受けることができない。
　よって、結論のとおり審決する。